(57)【要約】【課題】  コンクリートパネルを用いつつ簡易な構成および施工で、強固で安定した補強土壁を構築し得る補強土壁構築具の提供。【解決手段】  壁面材１は、略矩形板状の本体部７の後面に、複数の突部８が設けられたコンクリートパネルである。各突部８には、上下方向に沿って貫通穴８ｂが形成されている。この突部８の貫通穴８ｂに通される縦パイプ２を介して、上下の壁面材１，１は連結される。縦パイプ２には、地盤の圧縮沈下時には破壊するリング１０が設けられ、このリング１０にチェーン３の一端部が保持される。壁面材１の後方には略Ｌ字形状断面の網状部材５が設置される。網状部材５の垂直片５ａより後方は盛土層１５とされ、その垂直片５ａと壁面材１との間には、スラグ１６が投入され土圧低減層とされる。【選択図】      図１
2006090071.tif 000002
【特許請求の範囲】
【請求項１】
コンクリートパネルから構成される壁面材と、
上下の壁面材同士を架け渡すように設けられる管状の縦パイプと、
この縦パイプに連結され、壁面材から後方へ延出して設けられる補強材と
を備えることを特徴とする補強土壁構築具。
【請求項２】
前記壁面材は、略矩形板状の本体部の後面に、一以上の突部が設けられ、この突部に上下方向に沿って貫通穴が形成されたコンクリートパネルとされ、
前記突部の貫通穴の直径は、前記縦パイプの外径と対応して形成されており、
いずれかの突部の貫通穴内で上下の縦パイプの両端部が突き合わされて配置されることで、上下の縦パイプひいては上下の壁面材が互いに連結される
ことを特徴とする請求項１に記載の補強土壁構築具。
【請求項３】
上下に離隔して配置される前記突部間において、前記縦パイプには、前記補強材としてのチェーンの一端部が、所定時には縦パイプに対し相対的に下方への移動を許容するよう位置決めされて接続される
ことを特徴とする請求項２に記載の補強土壁構築具。
【請求項４】
前記縦パイプの外周面にはめ込まれたリングに、縦パイプに通される環状部を備えた接続具の下端部が当接されて位置決めされ、
この接続具に、前記補強材としてのチェーンの一端部が接続される
ことを特徴とする請求項３に記載の補強土壁構築具。
【請求項５】
前記壁面材と離隔して後方に配置され、前記壁面材と略平行に配置される垂直面を有する網状部材と、
この網状部材の前記垂直面に配置されるシート状部材とを更に備え、
前記壁面材と前記網状部材との間に土圧低減層を設けつつ、前記網状部材よりも後方に盛土がなされる
ことを特徴とする請求項１から請求項４までのいずれかに記載の補強土壁構築具。
【請求項６】
前記土圧低減層に、硬質ゴム粒と土との混合物、またはスラグが使用される
ことを特徴とする請求項５に記載の補強土壁構築具。
【発明の詳細な説明】
【技術分野】
【０００１】
本発明は、垂直または傾斜状の法面を形成し維持するための補強土壁構築具（補強土壁構築部材）に関するものである。なお、補強土壁は、擁壁、土留構造壁、盛土壁などと呼ぶこともできる。
【背景技術】
【０００２】
従来、テールアルメ工法やジオテキスタイル工法に代表される補強土壁の構築方法が知られている。これらは、壁面を構成する壁面材と、この壁面材に連結されて盛土内に埋設される補強材とから構成される。そして、壁面材としてコンクリートパネルを用いる工法は、外観上安定感があり、都市部において多く使用されている。
【０００３】
ところが、コンクリートパネルを壁面材として使用する場合、壁面へ作用する力を軽減する工夫が必要となる。なぜなら、盛土の圧縮沈下により、壁面材と補強材との連結部に垂直方向および水平方向の過大な力が作用し、また壁高さに比例して水平土圧が増大するからである。そこで、従来、コンクリートパネルの背面に、合成樹脂の発泡ブロックを配置したり（特許文献１）、あるいは単粒度砕石を充填したり（特許文献２）することが提案されている。
【特許文献１】特開昭６３−４４０２６号公報
【特許文献２】特開２００１−１８２０６５号公報
【発明の開示】
【発明が解決しようとする課題】
【０００４】
本発明が解決しようとする課題は、コンクリートパネルを用いつつ簡易な構成および施工で、強固で安定した補強土壁を構築し得る補強土壁構築具を提供することにある。特に好ましくは、壁面へ過大な力が作用するのを防止でき、地盤の圧縮沈下への追随にも対応できる補強土壁構築具を提供することを課題とする。
【課題を解決するための手段】
【０００５】
本発明は、前記課題を解決するためになされたもので、請求項１に記載の発明は、コンクリートパネルから構成される壁面材と、上下の壁面材同士を架け渡すように設けられる管状の縦パイプと、この縦パイプに連結され、壁面材から後方へ延出して設けられる補強材とを備えることを特徴とする補強土壁構築具である。
【０００６】
請求項２に記載の発明は、請求項１に記載の構成要件に加えて、前記壁面材は、略矩形板状の本体部の後面に、一以上の突部が設けられ、この突部に上下方向に沿って貫通穴が形成されたコンクリートパネルとされ、前記突部の貫通穴の直径は、前記縦パイプの外径と対応して形成されており、いずれかの突部の貫通穴内で上下の縦パイプの両端部が突き合わされて配置されることで、上下の縦パイプひいては上下の壁面材が互いに連結されることを特徴とする補強土壁構築具である。
【０００７】
請求項３に記載の発明は、請求項２に記載の構成要件に加えて、上下に離隔して配置される前記突部間において、前記縦パイプには、前記補強材としてのチェーンの一端部が、所定時には縦パイプに対し相対的に下方への移動を許容するよう位置決めされて接続されることを特徴とする補強土壁構築具である。
【０００８】
請求項４に記載の発明は、請求項３に記載の構成要件に加えて、前記縦パイプの外周面にはめ込まれたリングに、縦パイプに通される環状部を備えた接続具の下端部が当接されて位置決めされ、この接続具に、前記補強材としてのチェーンの一端部が接続されることを特徴とする補強土壁構築具である。
【０００９】
請求項５に記載の発明は、請求項１から請求項４までのいずれかに記載の構成要件に加えて、前記壁面材と離隔して後方に配置され、前記壁面材と略平行に配置される垂直面を有する網状部材と、この網状部材の前記垂直面に配置されるシート状部材とを更に備え、前記壁面材と前記網状部材との間に土圧低減層を設けつつ、前記網状部材よりも後方に盛土がなされることを特徴とする補強土壁構築具である。
【００１０】
さらに、請求項６に記載の発明は、請求項５に記載の構成要件に加えて、前記土圧低減層に、硬質ゴム粒と土との混合物、またはスラグが使用されることを特徴とする補強土壁構築具である。
【発明の効果】
【００１１】
本発明の補強土壁構築具によれば、コンクリートパネルを用いつつ簡易な構成および施工で、強固で安定した補強土壁を構築することができる。
【発明を実施するための最良の形態】
【００１２】
以下、本発明の補強土壁構築具とそれを用いた補強土壁の構造およびその構築について、実施例に基づき更に詳細に説明する。
【００１３】
図１は、本発明の補強土壁構築具の一実施例の使用状態を示す分解斜視図である。この図に示すように、本実施例の補強土壁構築具は、コンクリート製の略矩形パネルからなる壁面材１，１…と、この壁面材１を上下に連結する縦パイプ２，２…と、この縦パイプ２に一端部が接続される鎖状の補強材３，３…と、この補強材３の他端部を保持するためのアンカー４と、前記壁面材１から後方へ離隔して配置される網状部材５および吸出し防止部材６を主要部として備える。
【００１４】
壁面材１は、略矩形板状に形成された本体部７と、この本体部７の後面に形成された複数の突部８，８…とが、一体形成されたコンクリートパネルである。本体部７は、その大きさを特に問わないが、本実施例では上下方向（壁面材の高さ）寸法が１０００ｍｍとされ、左右方向（壁面材の幅）寸法が１５００ｍｍとされる。
【００１５】
本実施例では、壁面材１の幅方向両端部からやや内側に入った左右位置と、幅方向中央位置とに、それぞれ突部８が設けられる。そして、前記左右位置および中央位置において、それぞれ上下方向中央部と上下両端部とに突部８が設けられる。このようにして、本実施例の壁面材１には、板状の本体部７の後面に、合計九個の突部８が設けられる。なお、各突部８は、壁面材１同士を左右に当接して並べた際に、左右方向に等間隔に配置されよう設けられている。
【００１６】
各突部８は、同一断面形状であり、それぞれ直方体のブロック状に、板状の本体部７から後方へ突出して設けられている。但し、本体部７との接続部は、本体部７の側へ行くに従って幅寸法を増す傾斜面８ａ，８ａにて接続されている。また、上下方向に一列に並んだ各突部８には、上下方向に貫通穴８ｂが同一軸線上に形成されている。なお、各壁面材１における上下方向中央部の突部８は、上下両端部のものよりも上下方向寸法が長く（具体的には二倍の長さに）形成されている。
【００１７】
各突部８に形成された貫通穴８ｂには、縦パイプ２が上下方向に沿って差し込まれる。縦パイプ２としては、管状、特に断面円形のパイプが好適に使用される。円形パイプを使用することで、軽量で強度の確保も可能である。縦パイプ２の外径は、壁面材１の突部８の貫通穴８ｂの内径よりも一回り小さく形成されている。従って、縦パイプ２は、壁面材１の突部８の貫通穴８ｂに、ほぼ適合してはめ込まれる。
【００１８】
上下に積み重ねられる壁面材１，１同士は、上下方向に沿って配置される各突部８の貫通穴８ｂに、縦パイプ２が通されることで、位置決めされ連結される。その際、各壁面材１の上下方向中央部に配置される突部８の中央部で、上下の縦パイプ２，２が突き合わされて接続されるよう構成する。そのために、各縦パイプ２は、壁面材１の高さ寸法に対応した長さに設定される。そして、補強土壁の最下部と最上部の縦パイプ２Ａだけは、壁面材１の高さ寸法の半分の長さか、或いは1.5倍の長さのものが使用される（図９参照）。
【００１９】
突部８の貫通穴８ｂは、縦パイプ２とほぼ対応した径に形成されているので、上下の縦パイプ２，２の両端部を突き合わせて差し込むだけで、縦パイプ２，２ひいては壁面材１，１の上下の連結が簡易に且つ確実で強固になされる。このように、本実施例では、縦パイプ２が、上下の壁面材１，１をつなぐ補助機能を持ち、且つ、上下の壁面材１，１同士のズレ止めの役割をする。
【００２０】
上下の隣接した突部８，８間（各壁面材１の下端部と上下方向中央部の各突部８，８間、あるいは上下方向中央部と上端部との各突部８，８間）に露出する縦パイプ２には、補強材接続用の接続具９が設置可能である。本実施例の接続具９は、細長い鋼板を略Ｕ字形状に屈曲形成してなり、且つその開放端部同士をやや近接させた形状である。すなわち、略半円形状の屈曲部の両端部は、傾斜部を介して互いに近接し、その先端部は互いに隙間をあけて平行に配置されている。この隙間は、後述するチェーン３のリンクの厚さより若干大きく設定されている。また、前記屈曲部の円弧は、縦パイプよりも一回り大きく形成されている。
【００２１】
このようにして略環状に形成された接続具９は、その屈曲部側に縦パイプ２をほぼ適合してはめ込むことができる。そして、開放両端部間には、補強材としてのチェーン３が連結可能とされている。つまり、接続具９の開放端部間の隙間に、チェーン３の一端部のリンクを配置した状態で、そのリンクの穴を通して、開放端部間にピンを架け渡すよう設けられる。
【００２２】
ところで、接続具９を縦パイプ２の中途部に保持するために、縦パイプ２には、前記突部８，８間の上下方向中央部よりやや下方位置に、接続具９の下端部を保持するためのゴムリング１０がはめ込まれている。これにより、縦パイプ２に通される接続具９の下端部は、ゴムリング１０に当接されて位置決めされる。
【００２３】
本実施例の補強材は、チェーン３から構成される。このチェーン３は、周知のとおり、環状のリンク同士が互いに連結されてなる。各リンクは、同一形状とされ、略半円形状の湾曲部同士が直線状部にて連設されてなる略長円形状である。そして、このチェーン３は、上述したように、一端部のリンクが接続具９に連結可能とされている。つまり、一端部のリンクは、接続具９の開放端部間に挟み込まれた状態で、開放端部同士を架け渡すよう設けられるピンが差し込まれる。
【００２４】
一方、チェーン３の他端部は、アンカー４にて保持可能である。本実施例のアンカー４は、チェーン３の他端部を係合するアンカー材１１と、このアンカー材１１を土に固定するためのアンカーピン１２とから構成される。本実施例のアンカー材１１は、水平片１３と垂直片１４とからなるＬ字形状材から構成される。水平片１３には、チェーン３の他端部を挿通可能な挿通穴１３ａが形成されている。そして、この挿通穴１３ａと連続して垂直片１４の中途まで延びて、延出溝１４ａが形成されている。この延出溝１４ａは、前記挿通穴１３ａを通されたチェーン３の他端部を、脱落不能に垂直片１４へ移動可能とされている。
【００２５】
また、アンカー材１１の水平片１３には、前記挿通穴１３ａを挟んだ二箇所に、小穴１３ｂ，１３ｂが形成されている。この小穴１３ｂには、アンカーピン１２が差し込み可能とされる。本実施例のアンカーピン１２は、下向きコ字形状に屈曲された線材から構成される。従って、このアンカーピン１２の両端部を前記小穴１３ｂ，１３ｂに通して、地面に打ち込むことで、アンカー材１１ひいてはチェーン３他端部を固定することができる。
【００２６】
前記壁面材１の後方には、略Ｌ字形状断面の網状部材５が設置される。この網状部材５は、樹脂から構成してもよいが、本実施例では金網から構成される。その際、棒状鋼材を格子状に溶接した溶接金網でもよいが、本実施例ではエキスパンドメタルから構成されている。網状部材５は、壁面材１と平行に配置される垂直片５ａと、この垂直片５ａの下端部から後方へ延出する水平片５ｂとからなる。なお、本実施例では、網状部材５の高さ（垂直片５ａの上下方向寸法）は、壁面材１の本体部７の高さの半分に設定されている。
【００２７】
そして、網状部材５には、少なくとも垂直片５ａに沿って、吸出し防止部材６が設けられる。吸出し防止部材６は、シート（マット）状部材であり、具体的には不織布を使用することができる。本実施例では、この不織布６を網状部材の垂直片５ａの後面に沿って配置して使用する。
【００２８】
ところで、網状部材５の垂直片５ａより後方領域には、盛土１５がなされるが、その垂直片５ａと壁面材１との間には、盛土１５よりも軽量材料が充填されて、透水層を兼ねた土圧低減層（土圧吸収層）１６とされる（図９参照）。土圧低減層１６には、たとえば、土工用水砕スラグなどの各種スラグを用いることができる。具体的には、鉄鋼製造工程において発生する副産物の鉄鋼スラグや、都市ごみプラントなどから排出される溶融スラグを使用することができる。
【００２９】
スラグは、砂質土に比べて軽量（２／３程度）であるため、壁面に作用する水平土圧を小さくできる。また、スラグの粒度分布は砂と類似しているため、後方の盛土の変形を吸収し、水平土圧を小さくできる。しかも、スラグは、時間と共に固結し強度が向上する性質（潜在水硬性）を有するので、壁面に作用する水平土圧を低減できる。
【００３０】
また、スラグは、上述したように、軽量で、変形吸収性や潜在水硬性を有するだけでなく、さらに強度が砂よりも高く、透水性が砂と同等で、１ｍまでの仕上がり厚さを一層まき出しで施工でき、凍上現象が起こらず、鋼材への腐食の影響が一般土壌と変わらず、環境負荷の小さなリサイクル資材でもある。
【００３１】
なお、土圧低減層１６には、スラグに代えて、硬質ゴム粒と土との混合物を用いてもよい。土に混合する硬質ゴムは、廃棄物のタイヤをリサイクルしたゴムシュレッズ（破砕片）や、ゴム工場で発生する廃棄物を利用することができる。土圧低減層に硬質ゴム粒を使用することで、軽量な土層となり、土圧低減を図ることができる。
【００３２】
次に、上記構成の補強土壁構築具を用いて、補強土壁を構築する施工方法について説明する。図２から図９は、補強土壁の施工状態を時系列に示す図である。まず、図２は、基礎工の施工状態を示す図であり、（ａ）は断面図、（ｂ）はその平面図である。
【００３３】
この図２に示すように、まず補強土壁を構築しようとする箇所において、根入れ部分を掘削し、基礎工を施工する。つまり、掘削箇所に砕石基礎１７を築き、その上部にコンクリートを打設して基礎を固める。このようにして設けられたコンクリート基礎１８上には、壁面前面の配置位置を示すための墨だし１９が行われる。なお、コンクリート基礎１８には、その上に設置される壁面材１の四隅に対応して、鉄筋２０，２０…が上方へ突出して設けられている。
【００３４】
次に、図２（ｂ）および図３に示すように、前記墨だしされた線を利用して、一段目の壁面材１を、コンクリート基礎１８上に左右に並べて設置する。その際、壁面材１の前倒れを防ぐために、パイプサポート２１にて壁面材１の前面が支持される。また、前記鉄筋２０と壁面材１との間には、スペーサ２２が楔状に詰められて、壁面材１は確実に位置決めされる。
【００３５】
次に、図４に示すように、エキスパンドメタルなどからなる断面略Ｌ字形状の網状部材５を設置する。つまり、網状部材５の水平片５ｂを地面に置き、これによりその垂直片５ａは上方へ延出して配置される。この網状部材５の垂直片５ａと壁面材１との離隔距離は、たとえば５０ｃｍに設定される。そして、その網状部材５の垂直片５ａの後面に沿って、吸出し防止部材６が設置される。さらに、壁面材１の突部８には、縦パイプ２（２Ａ）が挿入される。図示例では、最下部の縦パイプ２Ａは、壁面材１の半分の高さのものを使用しているが、1.5倍の長さのものを使用してもよいことは、前述したとおりである。縦パイプ２の設置時には、リング１０を介して接続具９が保持される。
【００３６】
次に、図５に示すように、網状部材５の垂直片５ａよりも後方領域に盛土１５（１５Ａ）する。盛土１５Ａは、網状部材５の高さまで一気に行うのではなく、ここでは網状部材５の半分（壁面材１の四分の一）の高さずつ順次に行われる。例えば、盛土材を３０ｃｍの高さまで巻きだし、それを層厚２５ｃｍに締め固める。その後、壁面材１と盛土層１５Ａとの間を、スラグ１６（１６Ａ）で埋める。スラグ１６Ａは、盛土層１５Ａと同じ高さまで投入される。
【００３７】
そして、そのようにして水平にされたスラグ１６Ａおよび盛土１５Ａの上に、チェーン３を敷設する。つまり、接続具９にチェーン３の一端部を接続すると共に、そのチェーン３の他端部をアンカー材１１の垂直片１４に係合し、そのアンカー材１１の水平片１３をアンカーピン１２にて、締め固めた盛土１５Ａに固定する。このようにして、盛土された地面に、チェーン３が十分に伸長した状態で固定される。なお、必要に応じて、網状部材５の垂直片５ａおよびそこに重ね合わされる吸出し防止部材６には、チェーン３が通される位置に対応して、現場で穴が開けられる。また、チェーン３と網状部材５とは、適宜クリップ（不図示）で留められ、盛土１５による網状部材５の前倒れが防止される。
【００３８】
次に、図６に示すように、一段目の網状部材５の上端部まで、二層目の盛土１５（１５Ｂ）がなされる。そして、図７に示すように、締め固められた二層目の盛土１５Ｂの上部に、二段目の網状部材５および吸出し防止部材６が設置される。そして、その二段目の網状部材５の半分の高さまで、三層目の盛土１５（１５Ｃ）が施工される。
【００３９】
次に、図８に示すように、三層目の盛土１５Ｃがなされた高さまで、壁面材１と網状部材５との空間に、スラグ１６（１６Ｂ）が投入される。なお、このスラグ投入前には、一段面の壁面材１には、その上部と上下方向中央部との突部間にも縦パイプ２が挿入され、その縦パイプ２にはリング１０を介して接続具９が保持される。そして、スラグ投入後には、まず、二段目の壁面材１を予め設置しておくのが好ましい。これにより、チェーン３やアンカー４を設置する作業者の安全確保が図られる。
【００４０】
壁面材１，１同士の上下の連結は、下段の壁面材１の上面に、ゴムプレート（不図示）を敷き、上段の壁面材１を載置すればよい。その際、下段の壁面材１から上方へ延出する縦パイプ２は、上段の壁面材１における下端部と上下方向中央部の各突部８へ挿入される。そして、その突部８，８間には、チェーン接続用の接続具９がリング１０で保持されて設けられる。
【００４１】
その後、図８に示すように、二段目のチェーン３が敷設される。以後、同様に、網状部材５上端部までの盛土１５、さらに上段の網状部材５設置、その網状部材５の半分までの盛土１５、その高さまでのスラグ１６の投入、チェーン３の敷設、縦パイプ２の挿入、上段の壁面材１の設置、が順次に繰り返し行われる。このようにして、必要な高さまで、盛土１５やスラグ１６を投入しつつ、壁面材１や網状部材５を上下に積み重ねていくことで、図９に示すような補強土壁が完成する。なお、図９では、補強土壁の最上部に、笠コンクリート２３が設けられ、その高さまで盛土１５がなされている。また、パイプサポート２１は除去され、基礎部は地中へ埋設される（符号２４）。
【００４２】
このようにして構築された補強土壁は、強固で安定したものとなる。特に、土圧低減層１６により、壁面への土圧の低減を図ることができる。この際、盛土層１５と土圧低減層１６という変形特性の異なる二層構造を有することになるが、チェーン３のようなフレキシブル構造の補強材を使うことで、そのような二層構造にも対応することができる。
【００４３】
しかも、地盤の圧縮沈下により、壁面材１に対しチェーン３が下方へ相対的に移動しようとする場合には、所定以上の荷重がゴムリング１０にかかると、ゴムリング１０が下方へ移動または破壊することで、地盤の圧縮沈下に追随することができる。
【００４４】
本発明の補強土壁構築具は、上記実施例の構成に限らず、適宜変更可能である。特に、壁面材１の大きさや、突部８の形成箇所や大きさおよび形状は、適宜に変更される。また、施工方法も適宜に変更可能である。
【００４５】
また、前記実施例では、縦パイプ２の中途部にはめ込んだゴムリング１０にて接続具９を保持する例について説明したが、チェーン３の一端部を仮保持できる構成であれば、ゴムリング１０に限らない。例えば、一部が切り欠かれた略円環状の帯状材からなるプラスチックや金属製のリングを、縦パイプ２の外周部から無理ばめしてもよい。さらに、紐を用いたり、溶接で突起を設けたりしてもよい。
【図面の簡単な説明】
【００４６】
【図１】本発明の補強土壁構築具の一実施例による補強土壁の概略構成を示す分解斜視図である。
【図２】図１の補強土壁構築具による補強土壁の施工状態を示す図であり、基礎工の施工状態を示し、（ａ）は断面図、（ｂ）はその平面図である。
【図３】図２の状態からさらに、コンクリート基礎上に一段目の壁面材を設置した状態を示す断面図である。
【図４】図３の状態からさらに、一段目の網状部材を設置した状態を示す断面図である。
【図５】図４の状態からさらに、一層目の盛土とスラグ投入とを行い、チェーンを敷設した状態を示す断面図である。
【図６】図５の状態からさらに、二層目の盛土を施した状態を示す断面図である。
【図７】図６の状態からさらに、二段目の網状部材を設置し、三層目の盛土を施した状態を示す断面図である。
【図８】図７の状態からさらに、スラグ投入しチェーンを敷設した状態を示す断面図である。
【図９】図８の状態からさらに進み、補強土壁が完成した状態を示す断面図である。
【符号の説明】
【００４７】
１  壁面材（コンクリートパネル）
２  縦パイプ
３  補強材（チェーン）
４  アンカー
５  網状部材（金網など）
５ａ  垂直面（垂直片）
６  吸出し防止部材（シート状部材、不織布）
７  本体部
８  突部
８ｂ  貫通穴
９  接続具
１０  リング（ゴムリング）
１１  アンカー材
１２  アンカーピン
１５  盛土
１６  土圧低減層（スラグ）
１７  砕石基礎
１８  コンクリート基礎
【図１】
2006090071.tif 000003
【図２】
2006090071.tif 000004
【図３】
2006090071.tif 000005
【図４】
2006090071.tif 000006
【図５】
2006090071.tif 000007
【図６】
2006090071.tif 000008
【図７】
2006090071.tif 000009
【図８】
2006090071.tif 000010
【図９】
2006090071.tif 000011